【手続補正書】
【提出日】平成22年2月8日(2010.2.8)
【手続補正１】
【補正対象書類名】特許請求の範囲
【補正対象項目名】全文
【補正方法】変更
【補正の内容】
【特許請求の範囲】
【請求項１】
椎間板腔内で使用され、形状記憶材料から形成される閉ループカッター刃であって、同閉ループカッター刃は、
前記閉ループカッター刃をカッターアセンブリに固定するために使用されるカッター刃孔を有する前記カッター刃の第１の長尺部と、
カッター刃スロットを有する前記カッター刃の第２の長尺部とを備え、
前記カッター刃スロットは、前記第２の長尺部を前記カッターアセンブリとスロット接続部を介して接続するときに使用され、同スロット接続部は前記第２の長尺部の限定的範囲における動きを許容することと、
前記閉ループカッター刃は、前記カッターアセンブリの一部を構成するカッター鞘から伸縮可能であることと、
前記伸張した閉ループカッター刃は、接続点を前記第１の長尺部及び前記第２の長尺部を通じて移動させることによってカッターアセンブリと接続されたとき、閉ループの境界を形成し、前記閉ループは内周面及び外周面を有することと、
該閉ループカッター刃は少なくとも１つの切削刃を有し、全ての切削刃は、前記外周面から凹んでいることと、
を特徴とする閉ループカッター刃。
【請求項２】
請求項１に記載の閉ループカッター刃において、全ての切削刃は、前記閉ループの前記内周面に沿って設けられている閉ループカッター刃。
【請求項３】
請求項１に記載の閉ループカッター刃において、前記閉ループカッター刃は第１の面及び第２の面の２つの面を有し、前記閉ループカッター刃が第１の方向に回転されるカッターアセンブリに固定されたとき、前記第１の面が前方面となり、前記第２の面が後方面となり、かつ前記閉ループカッター刃は前記第１の面の少なくとも一部に切削刃を有するとともに、前記第２の面に刃無し面を有する閉ループカッター刃。
【請求項４】
請求項１に記載の閉ループカッター刃において、前記閉ループカッター刃は第１の面及び第２の面の２つの面を有し、前記閉ループカッター刃が第１の方向に回転されるカッターアセンブリに固定されたとき、前記第１の面が前方面となり、前記第２の面が後方面となり、かつ前記閉ループカッター刃は前記第１の面の少なくとも一部に切削刃を有するとともに、前記第２の面の少なくとも一部に切削刃を有する閉ループカッター刃。
【請求項５】
請求項４に記載の閉ループカッター刃において、前記第１の面における前記切削刃は、第１のパターンを有する鋸歯を使用し、前記第２の面における前記切削刃は、前記第１の面における前記切削刃と異なる閉ループカッター刃。
【請求項６】
請求項４に記載の閉ループカッター刃において、前記第１の面における前記切削刃は、第１のパターンを有する鋸歯を使用し、前記第２の面における前記切削刃は、前記第１のパターンと異なるパターンを有する鋸歯を使用する閉ループカッター刃。
【請求項７】
請求項４に記載の閉ループカッター刃において、前記第１の面における前記切削刃は、第１のパターンを有する鋸歯を使用し、前記第２の面における前記切削刃は、鋸歯を使用しない閉ループカッター刃。
【請求項８】
請求項１に記載の閉ループカッター刃において、前記閉ループカッター刃は第１の面及び第２の面の２つの面を有し、前記閉ループカッター刃が第１の方向に回転されるカッターアセンブリに固定されたとき、前記第１の面が前方面となり、前記第２の面が後方面となり、かつ前記閉ループカッター刃は前記第１の面の少なくとも一部に切削刃を有するとともに、前記第１の面の前記切削刃は前記第１の面の一部分及び閉ループの内周面の対応する一部分に設けられたパターンによって形成されるとともに、前記第１の面の一部分及び閉ループの外周面の対応する一部分に設けられた反復パターンによって形成される閉ループカッター刃。
【請求項９】
請求項１に記載の閉ループカッター刃において、前記閉ループカッター刃は第１の面及び第２の面の２つの面を有し、前記閉ループカッター刃が第１の方向に回転されるカッターアセンブリに固定されたとき、前記第１の面が前方面となり、前記第２の面が後方面となり、かつ前記閉ループカッター刃は前記第１の面の少なくとも一部に切削刃を有するとともに、前記第１の面は連続する四角錐を有し、それら四角錐の頂点が前記閉ループの外周面と前記閉ループの内周面との間においてほぼ半周にわたって配置されている閉ループカッター刃。
【請求項１０】
丸みを帯びた鋸歯を更に含む請求項１に記載の閉ループカッター刃。
【請求項１１】
傾斜し、かつ丸みを帯びた鋸歯を更に含む請求項１に記載の閉ループカッター刃。
【請求項１２】
多角形の集合体を含む鋸歯の集合体を更に含む請求項１に記載の閉ループカッター刃。
【請求項１３】
請求項１２に記載の閉ループカッター刃において、前記鋸歯の集合体は台形の集合体を含む閉ループカッター刃。
【請求項１４】
請求項１２に記載の閉ループカッター刃において、前記鋸歯範囲の深さが前記閉ループカッター刃の厚みからゼロまでの範囲となるように、前記鋸歯の集合体は閉ループカッター刃を外周から内周に向かって横断する角度にて切断される閉ループカッター刃。
【請求項１５】
椎体終板の先端と椎体終板の基端との間の椎間腔内における物質を粉砕するためのカッターであって、前記カッターは、同カッターの一端を椎間腔内に配置するように、少なくとも前記椎体終板の基端を通じて延びる軸に沿う穴を通じて延びるように適合され、
前記カッターは、
カッターシャフトと、
前記カッターシャフトの少なくとも一部を覆うカッター鞘と、
カッター刃と、
前記カッターは前記カッター鞘の中に収納され、かつ鞘から伸張されるように構成され、前記カッター刃は伸張位置の形状記憶を有することと、前記伸張したカッター刃は前記カッターシャフトの長軸に対して大きく横切ることと、
前記カッター刃が前記椎間腔内で伸張したとき、前記伸張したカッター刃の側面において前記カッター刃の先端側面は、前記椎体終板の基端よりも前記椎体終板の先端に近い位置に適合されることと、
前記カッター刃が前記椎間腔内で伸張したとき、前記挿入されて伸張したカッター刃の側面において前記カッター刃の基端側面は、前記椎体終板の先端よりも前記椎体終板の基端に近い位置に適合されることと、
前記伸張したカッター刃が前記カッターシャフトの長軸の周りで第１の方向に回転されたとき、前記カッター刃の前縁となる前記カッター刃の第１の縁と、
前記伸張したカッター刃が前記カッターシャフトの長軸の周りで第２の方向に回転されたとき、前記カッター刃の前縁となる前記カッター刃の第２の縁と、
前記第２の方向は、前記第１の方向と反対の向きであることと、
前記第１の縁又は第２の縁の少なくとも一方に設けられた少なくとも１つの切削刃と、
前記切削刃は前記カッター刃の前記先端側面に対して凹んでいることとを備えるカッター。
【請求項１６】
請求項１５に記載のカッターおいて、前記切削刃は前記カッター刃の前記基端側面に対して凹んでいるカッター。
【請求項１７】
請求項１５に記載のカッターにおいて、前記カッター刃は同カッター刃が前記カッターシャフトに接続された部位から延びるループを含み、前記ループの第１の部位は前記先端側面を含み、前記ループの第２の部位は前記基端側面を含み、前記ループは前記第１の部位及び前記第２の部位を接続するループ先端を含み、前記カッター刃が前記シャフトの長軸の周りで回転されるとき前記ループは開口領域を形成するカッター。
【請求項１８】
請求項１５に記載のカッターにおいて、前記カッター刃は同カッター刃が前記カッターシャフトに接続された部位から延びるループを含み、前記ループの第１の部位は前記先端側面を含み、前記ループの第２の部位は前記基端側面を含み、前記ループは前記第１の部位及び前記第２の部位を接続するループ先端を含み、前記カッター刃が前記シャフトの長軸の周りで回転されるとき前記ループは開口領域を形成し、同開口領域を介して物質が通過可能となるカッター。
【請求項１９】
請求項１５に記載のカッターにおいて、前記カッターシャフトの長軸に対して大きく横切る前記伸張したカッター刃は、前記カッターシャフトの長軸に対して約２５度から約１５５度の間で離れて配置されるカッター。
【請求項２０】
請求項１５に記載のカッターにおいて、前記カッター刃の前記先端部は前記カッター刃の前記基端部に対してほぼ平行であるカッター。
【請求項２１】
請求項１５に記載のカッターにおいて、前記カッター刃の前記先端部の突起は、鋭角を形成するように前記カッター刃の前記基端部の突起と交差するカッター。
【請求項２２】
請求項１５に記載のカッターにおいて、前記カッター刃の第１の縁における切削刃は鋸歯であるカッター。
【請求項２３】
請求項２２に記載のカッターにおいて、前記カッター刃は、一連の歯を有し、それらの歯
はほぼ同じ高さを有するカッター。
【請求項２４】
請求項２２に記載のカッターにおいて、前記カッター刃は、第１の歯高を有する歯の集合体と、第１の歯高より高い第２の歯高を有する歯の集合体とを備える一連の歯を有するカッター。
【請求項２５】
請求項２２に記載のカッターにおいて、前記カッター刃は鋸歯パターンを有し、鋭角を有する鋸歯パターンに谷が設けられているカッター。
【請求項２６】
請求項２２に記載のカッターにおいて、前記先端面及び前記基端面はループ先端によって連結され、伸張位置にあるカッター刃を備える前記カッターは閉ループを形成し、前記カッター刃の第１の縁における切削刃はループ先端に沿って、前記第１の縁の別の部位における鋸歯パターンとは異なる鋸歯パターンを有するカッター。
【請求項２７】
請求項２２に記載のカッターにおいて、前記カッター刃の第２の縁における切削刃は非鋸歯であるカッター。
【請求項２８】
治療手順のために椎間板腔を準備するためのキットであって、同キットは、
第１の投入長のラジアルカッター刃を有するカッターアセンブリと、同第１の投入長のラジアルカッター刃は少なくとも１つの切削刃を有し、全ての切削刃は外周面から凹んでいることと、
９０度未満の刃角及び第１の投入長を有するカッター刃を有するカッターアセンブリと、同９０度未満の刃角及び第１の投入長を有するカッター刃は少なくとも１つの切削刃を有し、全ての切削刃は前記外周面から凹んでいることと、
第１の投入長よりも長い第２の投入長のラジアルカッター刃を有するカッターアセンブリと、該第２の投入長のラジアルカッター刃は少なくとも１つの切削刃を有し、全ての切削刃は前記外周面から凹んでいることと、
９０度未満の刃角及び第２の投入長を有するカッター刃を有するカッターアセンブリとを備え、同９０度未満の刃角及び第２の投入長を有するカッター刃は少なくとも１つの切削刃を有し、全ての切削刃は前記外周面から凹んでいるキット。
【請求項２９】
請求項２８に記載のキットにおいて、
第２の投入長よりも長い第３の投入長のラジアルカッター刃を有するカッターアセンブリと、該第３の投入長のラジアルカッター刃は少なくとも１つの切削刃を有し、全ての切削刃は前記外周面から凹んでいることと、
９０度未満の刃角及び第３の投入長を有するカッター刃を有するカッターアセンブリとを備え、該９０度未満の刃角及び第３の投入長を有するカッター刃は少なくとも１つの切削刃を有し、全ての切削刃は前記外周面から凹んでいるキット。
【請求項３０】
請求項２８に記載のキットにおいて、９０度未満の刃角及び第１の投入長を有するカッター刃を有するカッターアセンブリに対する前記刃角は、約４５度であるキット。